(57)【特許請求の範囲】
【請求項１】
液体又は粉粒体を収容する容器に設けられた液体又は粉粒体を注ぎ出すための注ぎ口構造であって、注ぎ口が筒状で先端に吐出口を設け、同吐出口と容器内部とを連通させる通路を設け、同通路の一部に可撓性を持たせて常時は復元力で通路を閉鎖する弁部を形成し、引張により弁部を変位させて前記通路を開放させる引張操作部を設け、同引張操作部を通路開放の引張状態に保持する保持手段を設け、しかも保持手段が、注ぎ口の後端の一部を後方に突出させて下方に折曲させた一対の引掛片を所定間隔おいて形成し、引張操作部の引張後の通路開放状態の位置で前記各引掛片に引っ掛ける引掛軸を引張操作部の後端に横設し、引掛軸を引掛片に引っ掛けて引張操作部を引張状態に保持する構造とし、同保持手段で通路を開放状態に保持後引張操作部を操作することなく液体又は粉粒体の注ぎ出しを可能にしたことを特徴とする容器の注ぎ口構造。
【請求項２】
引張操作部の後部に平板状の掴み部を設け、同掴み部の片面又は両面に凹凸からなる滑り止めを設けた請求項１記載の容器の注ぎ口構造。
【発明の詳細な説明】
【０００１】
【発明の属する技術分野】
本発明は、容器内の液体又は粉粒体を必要に応じて注ぎ出すために設けられる注ぎ口の構造に関し、詳しくは注ぎ口を開閉する弁を開放方向に保持して注ぎ中に弁の開放操作を行うことなく楽な注ぎ出しを可能とする技術に関する。
【０００２】
【従来の技術】
従来、ジュース缶や飲料用紙パック，一斗缶等の液体又は粉粒体を収容する容器にはそれぞれ独自の注ぎ口とそれを封止する蓋を備えている。これらは、一度開封すると蓋が開封前の状態に戻らない構造になっているものが多く、液体又は粉粒体が残っている容器を再保存する際液体又は粉粒体が外気に触れて痛み易くなる問題があった。
そこで、液体又は粉粒体を必要に応じて注ぎ出し、保存時は注ぎ口を封止して外気と遮断できる注ぎ口具を容器に脱着自在又は一体的に取り付けた容器の注ぎ口構造が公知で、実用に供している。
一例を示せば、図５，６に示すように吐出口２２に連通する通路２３の途中に軟質プラスチック等からなる可撓性を有する常閉の弁部２４を閉鎖方向に付勢するように開閉自在に設け、同弁部２４の一箇所を引張により変位させて前記通路２３を開く引張操作部２６を設けた注ぎ口２１があり、注ぎ時は引張操作部２６の引張により通路２３を開いて液体又は粉粒体を注ぎ、保存する際は弁部２４を付勢力で元の形状に戻して通路２３を閉めるもので、構造がシンプルで低コストで提供できるものである。
ところで、前記構造の注ぎ口２１は注ぎ時に引張操作部２６を指等で常に引張させておくことが必要で、多量の液体又は粉粒体を注ぎ出す場合は労力を伴い、容器が大きくて重い場合は容器を無理な持ち方をしたりして求める定量を注ぐことが難しいものであった。
【０００３】
【発明が解決しようとする課題】
本発明が解決しようとする課題は、従来のこれらの問題点を解消し、注ぎ口を開閉する弁を開放方向に保持して注ぎ中に開放操作を行うことなく楽な注ぎ出しを可能とする容器の注ぎ口構造を提供することにある。
【０００４】
【課題を解決するための手段】
かかる課題を解決した本発明の構成は、
１）  液体又は粉粒体を収容する容器に設けられた液体又は粉粒体を注ぎ出すための注ぎ口構造であって、注ぎ口が筒状で先端に吐出口を設け、同吐出口と容器内部とを連通させる通路を設け、同通路の一部に可撓性を持たせて常時は復元力で通路を閉鎖する弁部を形成し、引張により弁部を変位させて前記通路を開放させる引張操作部を設け、同引張操作部を通路開放の引張状態に保持する保持手段を設け、しかも保持手段が、注ぎ口の後端の一部を後方に突出させて下方に折曲させた一対の引掛片を所定間隔おいて形成し、引張操作部の引張後の通路開放状態の位置で前記各引掛片に引っ掛ける引掛軸を引張操作部の後端に横設し、引掛軸を引掛片に引っ掛けて引張操作部を引張状態に保持する構造とし、同保持手段で通路を開放状態に保持後引張操作部を操作することなく液体又は粉粒体の注ぎ出しを可能にしたことを特徴とする容器の注ぎ口構造
２）  引張操作部の後部に平板状の掴み部を設け、同掴み部の片面又は両面に凹凸からなる滑り止めを設けた前記１）記載の容器の注ぎ口構造
にある。
【０００５】
【作用】
本発明によれば、注ぎ時は引張操作部を引張して弁部を変位させ、保持手段で引張操作部を通路開放状態の位置で保持し、引張操作部から手を放して注ぎ中に開操作を行うことなく液体又は粉粒体の注ぎ出しが楽に行われる。
液体又は粉粒体の保存時は、保持手段を解除して引張操作部を元の位置に戻すことで弁部が復元力による付勢で通路を閉め、容器内の液体又は粉粒体が外気と遮断される。
【０００６】
【発明の実施の形態】
本発明の保持手段としては、注ぎ口の後端の一部を後方に突出させて下方に折曲させた一対の引掛片を所定間隔おいて形成し、引張操作部の引張後の通路開放状態の位置で前記各引掛片に引っ掛ける引掛軸を引張操作部の後端に横設し、引掛軸を引掛片に引っ掛けて引張操作部を引張状態に保持できるようにした。
弁部としては、軟質を示すプラスチックが一般的に用いられ、閉鎖状態で通路を密封して漏出や外気の侵入を効果的に防止できて好ましい。
引張操作部としては、軟質プラスチックを用いて弁部と一体成形したものが破断等を防止できるので望ましい。引張操作部は環状に形成して指を掛止できるようにしたものや、凹凸からなる滑り止めを形成した平板状のものがあり、いずれも容易な操作で力を必要としない形状が望ましい。
本発明の容器の注ぎ口構造は、主としてジュース缶や飲料用紙パック等や調味料等の容器に好ましく適用できるが、その他塗料や接着剤、溶剤等が収容される一斗缶等の容器にも有用である。
以下、本発明の各実施例を図面に基づいて具体的に説明する。
【０００７】
【実施例】
実施例（図１〜４参照）
図１〜４に示す実施例は、飲料用紙パックの注ぎ口に本発明の一例を適用した例である。
図１は、実施例の注ぎ口の斜視図である。
図２は、図１のＡ−Ａ断面図である。
図３は、実施例の注ぎ口を飲料用紙パックに装着した状態を示す斜視図である。
図４は、実施例の注ぎ口の使用状態を示す説明図である。
図中、１は注ぎ口、１ａは硬質部、１ｂは軟質部、２は吐出口、３は通路、４は弁部、６は引張操作部、Ｗは液体である。
図中、１８は引掛片、１９は引掛軸、１９ａは保持体、２０は飲料用紙パックからなる容器である。
【０００８】
実施例では、図１，２に示すように軟質部１ｂの上端後方縁部に下方に折曲した一対の引掛片１８を所定間隔をおいて形成し、引張操作部６の後端に前記各引掛片１８に引っ掛ける引掛軸１９を横設するとともにその両軸端に引掛後脱落を防止する円状の保持体１９ａを設けて注ぎ口１を構成し、これを図３に示すように容器２０の開孔した上部傾斜面に装着している。
【０００９】
図４（ａ），（ｂ）に示すように引張操作部６の引掛軸１９部分を掴んで後方上側に引っ張ると、弁部４の一部が上方に変位して通路３が開放される。この状態で引張操作部６を後方下側に更に引っ張って引掛軸１９を各引掛片１８に引っ掛けると通路３の開放状態が保持され、引張操作部６を操作することなく注ぎ出しが可能となる。注ぎ後は引掛軸１９を引掛片１８から外すことで弁部４の復元力による付勢で通路３が閉鎖される。
【００１０】
【発明の効果】
以上説明したように、本発明によれば注ぎ中に弁部の開放操作を行うことなく楽な注ぎ出しを可能とする容器の注ぎ口構造を提供できる。
【図面の簡単な説明】
【図１】  実施例の注ぎ口の斜視図である。
【図２】  図１のＡ−Ａ断面図である。
【図３】  実施例の注ぎ口を飲料用紙パックに装着した状態を示す斜視図である。
【図４】  実施例の注ぎ口の使用状態を示す説明図である。
【図５】  従来の注ぎ口の斜視図である。
【図６】  従来の注ぎ口の使用状態を示す説明図である。
【符号の説明】
１  注ぎ口
１ａ  硬質部
１ｂ  軟質部
２  吐出口
３  通路
４  弁部
６  引張操作部
１８  引掛片
１９  引掛軸
１９ａ  保持体
２０  容器
２１  注ぎ口
２２  吐出口
２３  通路
２４  弁部
２６  引張操作部
Ｗ  液体
【図１】
0003689392.tif 000002
【図２】
0003689392.tif 000003
【図３】
0003689392.tif 000004
【図４】
0003689392.tif 000005
【図５】
0003689392.tif 000006
【図６】
0003689392.tif 000007